(57)【要約】【課題】作業者が片手でも作業できる作業性に優れた搬送ライン用カバーを実現する。【解決手段】搬送ライン用カバーとして、一方向に延伸する複数の搬送ラインを収容する検体搬送装置の上部開口部を覆うカバー本体と、前記カバー本体の上面部分に一方側の短辺から他方側の短辺まで延在するように形成される第１の溝とを有し、前記カバー本体の長辺側面の下端は、前記第１の溝の底面よりも下に位置するものを提案する。【選択図】図３Ａ
2015121438.tif 000002
【特許請求の範囲】
【請求項１】
一方向に延伸する複数の搬送ラインを収容する検体搬送装置の上部開口部を覆うカバー本体と、
前記カバー本体の上面部分に一方側の短辺から他方側の短辺まで延在するように形成される第１の溝と
を有し、前記カバー本体の長辺側面の下端は、前記第１の溝の底面よりも下に位置する
ことを特徴とする搬送ライン用カバー。
【請求項２】
請求項１に記載の搬送ライン用カバーにおいて、
前記第１の溝は、前記カバー本体の一方の長辺側面と共に片手で把持される
ことを特徴とする搬送ライン用カバー。
【請求項３】
請求項１に記載の搬送ライン用カバーにおいて、
前記カバー本体の短辺側を外部から見た場合の前記第１の溝の形状が、矩形、Ｕ字状又は半円状である
ことを特徴とする搬送ライン用カバー。
【請求項４】
請求項１に記載の搬送ライン用カバーにおいて、
前記カバー本体の上面から前記第１の溝への第１の傾斜角が、前記カバー本体の前記上面から前記長辺側面への第２の傾斜角よりも大きい
ことを特徴とする搬送ライン用カバー。
【請求項５】
請求項１に記載の搬送ライン用カバーにおいて、
前記カバー本体は、前記検体搬送装置の上部開口部に対して着脱可能である
ことを特徴とする搬送ライン用カバー。
【請求項６】
請求項１に記載の搬送ライン用カバーにおいて、
前記カバー本体は、透明部材で形成される
ことを特徴とする搬送ライン用カバー。
【請求項７】
請求項１に記載の搬送ライン用カバーにおいて、
前記第１の溝は、前記カバー本体における短辺方向の中心位置を含む
ことを特徴とする搬送ライン用カバー。
【請求項８】
請求項１に記載の搬送ライン用カバーにおいて、
前記カバー本体の長辺方向の両端部のいずれにも取り付け可能なエンドキャップを更に有し、
前記エンドキャップの上面部分には、一方側の短辺から他方側の短辺まで延在するように第２の溝が形成されており、前記エンドキャップを前記カバー本体に取り付けた状態で、前記第２の溝は前記第１の溝に一体的に連結される
ことを特徴とする搬送ライン用カバー。
【請求項９】
請求項８に記載の搬送ライン用カバーにおいて、
前記エンドキャップは、前記搬送ライン用カバーの端部開口に嵌め込むように取り付けられる
ことを特徴とする搬送ライン用カバー。
【請求項１０】
請求項８に記載の搬送ライン用カバーにおいて、
別の前記搬送ライン用カバーの長辺側面に接するように配置される側の前記エンドキャップは、前記第２の溝が形成された上段部よりも前記カバー本体の長辺方向に突き出した下段部を有する
ことを特徴とする搬送ライン用カバー。
【請求項１１】
請求項１０に記載の搬送ライン用カバーにおいて、
前記下段部は、前記別の搬送ライン用カバーの把持のために指先を挿入できる寸法の突出量を少なくとも有する
ことを特徴とする搬送ライン用カバー。
【発明の詳細な説明】
【技術分野】
【０００１】
本発明は、複数の検体検査装置間における検体の搬送に適した検体搬送装置の上部開口部を覆うカバー（以下「搬送ライン用カバー」ともいう）に関する。
【背景技術】
【０００２】
近年、病院等には多種多様な検体検査装置が導入されており、検体検査の自動化が図られている。検体検査装置には、例えば検体処理装置、生化学分析装置、免疫分析装置、検体収容装置等がある。また、検体検査装置は、単一のモジュールで構成される装置だけでなく、複数のモジュールを組み合わせて構成されるものもある。
【先行技術文献】
【特許文献】
【０００３】
【特許文献１】国際公開第２０１１／０４０１９７号
【特許文献２】特開２００３−２９３４９４号公報
【発明の概要】
【発明が解決しようとする課題】
【０００４】
ところで、検体検査装置や検体搬送装置の設置レイアウトは、設置場所や顧客のニーズに応じ様々である。特に、検体搬送装置は、設置場所等に応じてカスタマイズ化されることが多いため、部品の共通化が困難になっている。例えば防塵のために使用される搬送ライン用カバーの共通化も困難になっている。
【０００５】
さらに、一般的な検体搬送装置には、その長辺方向について２本の搬送ラインが並列的に配置されているが、そのために必要となる搬送ライン用カバーの横幅寸法は、作業者が片手では掴めないほどの大きさである。このため、作業者は、両手で搬送ライン用カバーを把持し、その着脱作業を行っている。しかし、作業性を考慮すると、搬送ライン用カバーを片手で把持できることが望ましい。
【課題を解決するための手段】
【０００６】
上記課題を解決するために、例えば特許請求の範囲に記載の構成を採用する。本明細書は上記課題を解決する手段を複数含んでいるが、その一例として、（１）一方向に延伸する複数の搬送ラインを収容する検体搬送装置の上部開口部を覆うカバー本体と、（２）前記カバー本体の上面部分に一方側の短辺から他方側の短辺まで延在するように形成される第１の溝とを有し、前記カバー本体の長辺側面の下端は、前記第１の溝の底面よりも下に位置する搬送ライン用カバーを提案する。
【発明の効果】
【０００７】
本発明によれば、作業者が片手でも把持可能な搬送ライン用カバーを実現することができる。前述した以外の課題、構成及び効果は、以下の実施の形態の説明により明らかにされる。
【図面の簡単な説明】
【０００８】
【図１】検体検査システムの外観構成を示す斜視図。
【図２】検体搬送装置の組み立て例を示す図。
【図３Ａ】一端部が他の検体検査装置と連結されない位置で使用して好適な搬送ライン用カバーの外観例を示す斜視図。
【図３Ｂ】図３Ａに示す搬送ライン用カバーの寸法例を説明する図。
【図４】点Ｐ１の傾斜角と点Ｐ２の傾斜角の関係を説明する図。
【図５Ａ】ジャンクション用検体搬送装置との連結位置で使用して好適な搬送ライン用カバーの外観例を示す斜視図。
【図５Ｂ】図５Ａに示す搬送ライン用カバーの寸法例を説明する図。
【図６】図５に示す搬送ライン用カバーを用いる利点を説明する図。
【発明を実施するための形態】
【０００９】
以下、図面に基づいて、本発明の実施の形態を説明する。なお、本発明の実施の態様は、後述する実施例に限定されるものではなく、その技術思想の範囲において、種々の変形が可能である。また、説明で使用する全図において、同一の部材には原則として同一の符号を付し、その繰り返しの説明は省略する。
【００１０】
［検体検査システムの外観例］
図１に、検体検査システムの外観構成例を示す。この検体検査システムは、複数の検体検査装置の間を、専用の搬送通路（検体搬送装置）を用いて連結するシステムの一例である。検体検査システムの規模やシステムを構成する検体検査装置の組み合わせは、設置場所や顧客のニーズに応じて様々である。本明細書において、検体は、人体から排泄又は採取された検査対象物を意味し、血液、尿、糞便、組織・細胞などを含んでいる。
【００１１】
図１に示す検体検査システムは、検体処理装置１００と、検体分析装置（生化学分析装置）１１０と、検体分析装置（生化学分析装置と免疫分析装置を連結した装置）１２０と、検体収容装置（冷蔵庫）１３０と、５つの検体搬送装置１４０と、２つの連結用検体搬送装置１５０で構成される。
【００１２】
本実施例における検体処理装置１００は、例えば投入された検体を検体ラック（以下「検体保持具」という）に架設する投入モジュール、検体保持具から検体を抜き取る収納モジュール、検体及び／又は検体保持具に所定の処理を実行する処理モジュール（遠心分離モジュール、開栓モジュール、分注モジュール、バーコード貼り付けモジュール、検体分類モジュール等）、検体保持具の供給と回収を実行するラックストッカ、不図示の制御部で構成される。検体処理装置１００には、少なくとも１つの検体を保持する検体保持具を長辺方向に搬送する主搬送ラインがモジュールを横断するように延設されている。
【００１３】
本実施例の場合、主搬送ラインは上下２段に配置され、各段には検体を互いに逆向きに搬送する２本の主搬送ラインが並列に配置される。なお、下段側の主搬送ラインは、検体が抜き取られた空の検体保持具の搬送用である。もっとも、主搬送ラインは１段構成でも良いし、３段以上の構成でも良い。主搬送ラインの寸法、取り付け位置、取り付け高さ等の諸元は、検体検査システムを構成する全ての装置（図１の場合、検体分析装置１１０、検体分析装置１２０、検体収容装置１３０、検体搬送装置１４０、ジャンクション用検体搬送装置１５０）で共通化されている。
【００１４】
因みに、検体分析装置１１０は単独の生化学分析装置であり、検体分析装置１２０は生化学分析装置と免疫分析装置を搬送方向について直列に接続した装置であり、検体収容装置１３０は検体の冷蔵保管に使用される大型のタワー型収容装置である。
【００１５】
検体搬送装置１４０は、長辺方向への検体及び／又は検体保持具の搬送に特化した搬送装置であり、搬送以外の機能部は基本的に含まない。検体搬送装置１４０は、その筐体内部に、前述の主搬送ラインと、主搬送ラインに沿って検体保持具を移動させる駆動機構（ベルトコンベアとその駆動モータを含む）と、少なくとも駆動機構のモータ等に電力を供給する電源と、電源ラインや制御信号線等の配線を有する。
【００１６】
図２に、検体搬送装置１４０の外観例を示す。図２の場合、検体搬送装置１４０は、ジャンクション用検体搬送装置１５０を介してＴ字型に連結されている。図２に示す検体搬送装置１４０は、長辺方向に延伸する搬送ラインを収容し、長辺側面を形成する左右一対の筐体（パネル）１４１と、その上部開口部を塞ぐ搬送ライン用カバー１４２と、筐体１４１や不図示の内部構造を支持するベース基板１４３と、筐体１４１と共に検体搬送装置１４０の長辺側面を形成する開閉扉１４４と、ベース基板１４３の下部に取り付けられる脚部１４５で構成される。
【００１７】
検体搬送装置１４０は、他の検体搬送装置又は検体検査装置との接続が前提であるため、長辺方向両端は開放されている。すなわち、検体搬送装置１４０は、断面略矩形の筒形の外観を有している。本実施例の場合、検体搬送装置１４０は、搬送ライン長（すなわち、長辺方向の筐体長）以外は部品が共通化された２種類のユニットのうちいずれかを使用する。本実施例の場合、搬送ライン長として600mmと900mmを想定する。
【００１８】
ジャンクション用検体搬送装置１５０は、複数の方向で、検体搬送装置１４０及び／又は検体検査装置と接続可能な搬送専用の装置である。このため、検体搬送装置１４０と同様、ジャンクション用検体搬送装置１５０は、搬送以外の機能は基本的に含まない。よって、ジャンクション用検体搬送装置１５０は、その筐体内部に、主搬送ラインと、主搬送ラインに沿って検体保持具を移動させる駆動機構（ベルトコンベアと駆動モータを含む）と、少なくとも駆動機構のモータ等に電力を供給する電源と、電源ラインや制御信号線等の配線を有する。
【００１９】
ただし、ジャンクション用検体搬送装置１５０は、長辺方向に対して直列に連結された検体搬送装置１４０や検体検査装置との間で検体保持具を出し入れする搬送機構に加え、所定の取り付け角度で連結された検体搬送装置１４０との間で検体保持具を出し入れするための搬送機構と、並列に配置された一対の主搬送ラインのうち一方から他方に検体保持具を移し替えるための副搬送ラインと、搬送方向の分岐点において検体保持具の搬送方向を個別に切り替えるために使用するストッパと方向変更機構とを有している。
【００２０】
ジャンクション用検体搬送装置１５０には、例えばＴ字連結用、Ｌ字連結用、Ｙ字連結用がある。図２に示すジャンクション用検体搬送装置１５０は、Ｔ字連結用である。なお、図２において、ジャンクション用検体搬送装置１５０の長辺側面から左右に延伸する検体搬送装置１４０のうちいずれか一方への搬送が不要な場合には、Ｌ字連結用のジャンクション用検体搬送装置１５０を使用する。もっとも、Ｔ字連結用のジャンクション用検体搬送装置１５０の２つの長辺側面に形成される２つの開口のうち一方を塞げば、Ｌ字連結用のジャンクション用検体搬送装置１５０として使用することができる。
【００２１】
ジャンクション用検体搬送装置１５０は、長辺方向に延伸する主搬送ラインと短辺方向に延長する副搬送ラインを収容する矩形形状の筐体１５１と、その上部開口部を塞ぐ搬送ライン用カバー１５２で構成される。図２の場合、ジャンクション用検体搬送装置１５０の筐体１５１は、床面（設置面）近くまで達する箱形の筐体であり、底面部に４つの高さ調整脚１５３を配置する。
【００２２】
［搬送ライン用カバーの構成例１］
ここでは、Ｔ字連結用のジャンクション用検体搬送装置１５０の上部開口部を覆う用途に適した搬送ライン用カバー１５２の詳細構成を示す。本実施例の場合、搬送ライン用カバー１５２は、上部開口部に対して着脱自在に装着できるものとする。着脱自在であることで、搬送ライン用カバー１５２を取り外すだけで、搬送ラインを直接メンテナンスすることができる。もっとも、搬送ライン用カバー１５２は、ジャンクション用検体搬送装置１５０の上部開口部に一体的に固定されても良い。以下では、搬送ライン用カバー１５２が上部開口部に対して着脱自在に装着可能である場合について説明する。
【００２３】
Ｔ字連結用のジャンクション用検体搬送装置１５０は、図２で説明したように、２つの長辺側面と１つの短辺側面でのみ他の検体搬送装置１４０と連結される。すなわち、残る１つの短辺側面では、他の検体搬送装置１４０との連結を考慮する必要が無い。このため、他の検体搬送装置１４０との連結の必要が無い短辺側面は、塵や埃が外部から装置内部に侵入させないための構造を採用する。
【００２４】
図３Ａ及び図３Ｂに、搬送ライン用カバー１５２の構造例を示す。搬送ライン用カバー１５２は、本体カバー１６１と、当該カバーにおける一方の端部開口（短辺側面）に取り付けられるエンドキャップ１６２とで構成される。搬送ライン用カバー１５２は、ジャンクション用検体搬送装置１５０の上部開口部の寸法に応じて設計される。図３Ｂは、600mmタイプの搬送ライン用カバー１５２に適した寸法例を示している。図３Ｂの場合、搬送ライン用カバー１５２の長辺方向の長さは573mmである。ここで、本体カバー１６１の長辺方向の長さは543mmであり、同方向のエンドキャップ１６２の長さは30mmである。また、搬送ライン用カバー１５２の短辺方向の長さは248mmであり、高さは50mmである。
【００２５】
カバー本体１６１とエンドキャップ１６２の上面には、搬送ライン用カバー１５２の一方側の短辺から他方側の短辺まで延在する直線状の溝１６３が形成されている。この溝１６３は、作業者が片手で搬送ライン用カバー１５２を把持し易い位置及び形状を有している。具体的には、溝１６３は、カバー本体１６１の一方の長辺側面と共に片手で把持できる位置に形成される。本実施例の場合、溝１６３は、搬送ライン用カバー１５２の短辺方向の中心位置を通るように形成される。このため、作業者は、溝１６３に対して左右いずれの側の長辺側面でも把持することができる。なお、溝１６３は、搬送ライン用カバー１５２の両端部まで貫通するように（すなわち、カバー本体１６１からエンドキャップ１６２の端部までの全域に亘って）一体的に形成されているので、その内側に溜まった塵や埃は、搬送ライン用カバー１５２のいずれの端部からも容易に掃き出すことができる。また、溝１６３は、搬送ライン用カバー１５２の剛性を高める効果も有する。
【００２６】
本実施例における溝１６３は、少なくとも指の第１関節を搬送ライン用カバー１６２の上方側から挿入できる形状に形成されている。図３Ｂの場合、溝１６３の短辺方向の長さ（幅）は30mmであり、上面からの深さは20mmである。溝１６３の断面形状は任意で良く、例えば矩形形状、Ｕ字形状、半円状でも良い。図３Ｂは、溝１６３の断面形状がＵ字形状の例を示している。Ｕ字形状の場合、溝１６３は、互いに対向する２つの上部内壁部と、底面を形成する湾曲した下部内壁部で形成される。図３Ｂの場合、上部内壁部の高さは5mmであり、下部内壁部は半径15mmの半円に沿って形成されている。
【００２７】
本実施例の場合、溝１６３の上部内壁部は、本体カバー１６１及びエンドキャップ１６２の上面に対して直角に形成される。ここで、本体カバー１６１及びエンドキャップ１６２の上面と長辺側面との連結部分についても同様の形状に形成することは可能であるが、本実施例の場合、上面から長辺側面への連結部分では、その断面形状が半径30mmの曲面に沿うように形成される。勿論、この断面形状は一例である。また、接続部分を規定する半径は一定値に限る必要はなく、溝１６３の側から長辺側面の方向に沿って曲面の半径が連続的に変化しても良い。
【００２８】
いずれにしても、溝１６３の上部内壁と上面との間に形成される傾斜角は、カバー本体１６１の上面から長辺側面への連結部分に形成される傾斜角よりも大きくなるように形成する。その理由を、図４を用いて説明する。図４の場合、溝１６３と搬送ライン用カバー１５２の上面とのエッジ部分（点Ｐ１）の角度は直角であるのに対し、搬送ライン用カバー１５２の上面と長辺側面との連結部分（点Ｐ２）の傾斜角はなだらかである。すなわち、点Ｐ１の角度に比べて点Ｐ２の角度がなだらかである。
【００２９】
この関係が成立することで、作業者が搬送ライン用カバー１５２を片手で把持した場合、点Ｐ１を支点として点Ｐ２に下向きに力を加え易くなる。結果的に、作業者は、ジャンクション用検体搬送装置１５０の上部開口部から遠ざかるように、搬送ライン用カバー１５２を傾けて取り外し易くなり、作業中に、上部開口部の内側に搬送ライン用カバー１５２を落とし込むリスクを低減することができる。なお、図３Ａ、図３Ｂ及び図４では、搬送ライン用カバー１５２の上面が平坦である例を示しているが、断面形状がドーム型又は蒲鉾型であっても構わない。
【００３０】
本実施例における搬送ライン用カバー１５２のうち少なくとも本体カバー１６１は、樹脂材料（例えば透明樹脂）で形成する。本体カバー１６１を透明樹脂で形成する場合、検体の搬送状態や搬送ライン部分の状態を外部から観察又は確認することができる。また、本実施例の場合、本体カバー１６１の側面には２つの切欠き部１６４が形成される。この切欠き部１６４は、側方から連結される検体搬送装置１４０の内部の搬送ラインの取り付け位置に対応して設けられる。従って、Ｔ字連結用の搬送ライン用カバー１５２では、２つの長手側面の両方に２つの切欠き部１６４が設けられる。なお、Ｌ字連結用の搬送ライン用カバー１５２では、２つの長手側面のうち他の装置を連結する側にのみ２つの切欠き部１６４を配置する。
【００３１】
ここで、切欠き部１６４は、搬送ラインに沿って搬送される検体と、搬送ライン用カバー１５２の長辺側面の下端との衝突を防止する目的で形成されている。従って、当該衝突を考慮する必要が無い場合（検体の上面部分が搬送ライン用カバー１５２の下端より下の位置を通過する場合）には、切欠き部１６４を設ける必要は無い。なお、本実施例の場合、切欠き部１６４の寸法は、長さ50mm、高さ12mmである。
【００３２】
また、前述の通り、カバー本体１６１の一方の端部開口には、エンドキャップ１６２が取り付けられる。本実施例の場合、エンドキャップ１６２は、カバー本体１６１の一方の端部開口に嵌め込むように取り付けている。エンドキャップ１６２は、カバー本体１６１に対して取り外し可能であっても良いし、取り外しできないように固着されていても良い。
【００３３】
［搬送ライン用カバーの構成例２］
次に、検体搬送装置１４０の上部開口部を覆う用途に適した搬送ライン用カバー１４２の詳細構成を示す。搬送ライン用カバー１４２も、上部開口部に対して着脱自在に装着できるものとする。もっとも、搬送ライン用カバー１４２は、検体搬送装置１４０の上部開口部に一体的に固定されても良い。以下では、搬送ライン用カバー１４２が上部開口部に対して着脱自在に装着可能である場合について説明する。
【００３４】
図５Ａ及び図５Ｂに、エンドキャップ付きの搬送ライン用カバー１４２の構造例を示す。すなわち、ジャンクション用検体搬送装置１５０との連結部に使用して好適な搬送ライン用カバー１４２の構造例を示す。搬送ライン用カバー１４２は、本体カバー１７１と、当該カバーにおける一方の端部開口（短辺側面）に取り付けられるエンドキャップ１７２とで構成される。搬送ライン用カバー１４２は、検体搬送装置１４０の上部開口部の寸法に応じて設計される。図５Ｂは、600mmタイプの搬送ライン用カバー１４２に適した寸法例を示している。図５Ｂの場合、搬送ライン用カバー１４２の長辺方向の長さは573mmである。ここで、本体カバー１７１の長辺方向の長さは543mmであり、同方向のエンドキャップ１７２の長さは30mmである。また、搬送ライン用カバー１４２の短辺方向の長さは248mmであり、高さは50mmである。なお、ジャンクション用検体搬送装置１５０との連結部を有しない搬送ライン用カバー１４２の場合にはエンドキャップ１７２が不要であるので、その場合、カバー本体１７１の長辺方向の長さは573mmとなる。
【００３５】
搬送ライン用カバー１４２の場合にも、カバー本体１７１とエンドキャップ１７２の上面には、搬送ライン用カバー１４２の一方側の短辺から他方側の短辺まで延在する直線状の溝１７３が形成されている。溝１７３を形成する目的や寸法等は、前述した搬送ライン用カバー１５２と同様であるので、詳細な説明は省略する。以下では、搬送ライン用カバー１４２に特有なエンドキャップ１７２の構造について説明する。
【００３６】
エンドキャップ１７２には、搬送ライン用カバー１４２の長辺方向について20mmの長さを有する上段部１７５と、当該上段部１７５から更に10mmだけ長辺方向に突出する下段部１７６とが形成されている。なお、下段部１７６の突出量は、ジャンクション用検体搬送装置１５０に取り付けられた搬送ライン用カバー１５２の把持のために指先を挿入できる寸法を有するように決定する。
【００３７】
エンドキャップ１７２を用いれば、図６の上段に示すように、下段部１７６の突出量だけ、搬送ライン用カバー１５２の長辺側面との間に指先を挿入するのに十分な空間を確保でき、検体搬送装置１４０との連結部でも、搬送ライン用カバー１５２を片手で把持することができる。仮に、エンドキャップ１７２が下段部を有しない構造であると、図６の下段に示すように、搬送ライン用カバー１５２の長辺側面との間に指先を挿入するのに十分な空間を確保することができず、検体搬送装置１４０との連結部では、搬送ライン用カバー１５２を片手で把持することができない。
【００３８】
本実施例における下段部１７６の高さは20mmである。なお、下段部１７６の高さは、溝１７３の底の高さ位置よりも下でありさえすれば、20mmに限らない。本実施例の場合、溝１７３の底の高さは、エンドキャップ１７２の下面から上方に30mm（上面から下方に20mm）であるので、30mm以下であれば良い。もっとも、下段部１７６の高さが大きくなるほど指を挿入するための空間も狭くなって搬送ライン用カバー１５２を把持し難くなるので、その高さは低い方が望ましい。
【００３９】
ただし、図５Ａに示すように、検体搬送用の２つの切欠き部１７４をエンドキャップ１７２の下段部１７６に形成する場合には、下段部１７６の高さの下限値は、切欠き部１７４の高さによって制限を受ける。なお、前述したように切欠き部１７４を設けなくても検体の搬送に支障が無い場合には、切欠き部１７４を設ける必要はない。
【００４０】
［まとめ］
前述したように、本実施例の場合には、搬送ライン長が600mmタイプと900mmタイプの２種類に共通化されているため、検体搬送装置の上部開口部を覆うために用意する搬送ライン用カバー１４２及び１５２の種類も大幅に少なくでき、専用カバーをその都度製造する場合に比して製造コストを低減することができる。
【００４１】
また、本実施例の場合、搬送ライン用カバー１４２及び１５２の上面部分に一方側の短辺から他方側の短辺まで延在するように溝１６３及び１７３が形成されるため、当該溝の一方の内壁とカバー本体の一方の長辺側面とを片手で把持することが可能となり、搬送ライン用カバー１４２及び１５２を検体搬送装置の上部開口部に対して片手で着脱することができる。
【００４２】
また、搬送ライン用カバー１４２又は１５２の上面から溝１６３又は１７３への傾斜角が、搬送ライン用カバー１４２又は１５２の上面から長辺側面への傾斜角よりも大きくなるように形成したことにより、搬送ライン用カバー１４２及び１５２を検体の搬送空間から外側の方向に取り外し易くなる。この結果、取り外し作業時における搬送空間内への搬送ライン用カバー１４２又は１５２の落下リスクを低減することができる。また、溝１６３及び１７３は、搬送ライン用カバー１４２及び１５２の短辺方向の中心位置を含むように形成されるため、搬送ライン用カバー１４２及び１５２を溝１６３及び１７３に対して左右いずれの側でも把持することができる。
【００４３】
また、本実施例の場合、少なくともジャンクション用の検体搬送装置１５０との連結部分に使用する搬送ライン用カバー１４２のエンドキャップ１７２には下段部１７６を設け、当該下段部１７６の突出量を少なくとも指先を挿入できるだけの長さ以上とすることにより、ジャンクション用検体搬送装置１５０との連結部分でも、搬送ライン用カバー１５２を片手で把持することができる。
【００４４】
［他の実施例］
本発明は、上述した実施例の構成に限定されるものでなく、様々な変形例を含んでいる。例えば上述した実施例は、本発明を分かりやすく説明するために、一部の実施例について詳細に説明したものであり、他の実施例についても同様に適用できる。例えば前述の実施例では、搬送ライン長が600mmタイプの場合における搬送ライン用カバーの一例を説明したが、搬送ライン長が900mmタイプの場合にも同様の構造を採用できる。
【００４５】
また、本発明は、前述の実施例について説明した構造の全てを必ず備える必要は無い。また、前述した実施例で説明した構造の一部を他の構造で置き換えることが可能であり、前述した実施例の構造に他の構造を加えることも可能である。また、前述の実施例の一部の構造を削除することも可能である。
【符号の説明】
【００４６】
１４２…搬送ライン用カバー
１５２…搬送ライン用カバー
１６１…本体カバー
１６２…エンドキャップ
１６３…溝
１６４…切欠き部
１７１…本体カバー
１７２…エンドキャップ
１７３…溝
１７４…切欠き部
１７５…上段部
１７６…下段部
【図１】
2015121438.tif 000003
【図２】
2015121438.tif 000004
【図３Ａ】
2015121438.tif 000005
【図３Ｂ】
2015121438.tif 000006
【図４】
2015121438.tif 000007
【図５Ａ】
2015121438.tif 000008
【図５Ｂ】
2015121438.tif 000009
【図６】
2015121438.tif 000010